(57)【要約】      （修正有）【課題】熱い食品を入れても指に熱が伝わり難く、しかも嵩張り難い熱物食品用容器を提供する。【解決手段】熱物食品用容器１０の容器本体１２はコップ状に形成されており、容器本体１２には底面部１４と側面部１６が形成されている。この側面部１６の上端には容器本体１２の下部方向に折り返されたリング状挟持体１８が連続形成されている。リング状挟持体１８の下端部にはリング状補強リブ２０が突出形成されている。また、前記リング状挟持体１８と前記側面部１６との間には隙間部が形成され、リング状挟持体１８は前記側面部１６と当接しないようになっている。前記容器本体１２の上面には開口部２４が形成されている。【選択図】図１
0003193825.tif 000002
【実用新案登録請求の範囲】
【請求項１】
有底筒状の容器本体と、この容器本体の側面部の上端に連続形成されると共に容器本体の下部方向に向かって折り返されたリング状挟持体と、を有してなることを特徴とする熱物食品用容器。
【請求項２】
有底筒状の容器本体と、この容器本体の側面部の上端に連続形成されると共に容器本体の下部方向に向かって折り返されたリング状挟持体と、前記側面部と前記リング状挟持体との間に形成された隙間部と、を有してなることを特徴とする熱物食品用容器。
【請求項３】
有底筒状の容器本体と、この容器本体の側面部の上端に連続形成されると共に容器本体の下部方向に向かって折り返されたリング状挟持体と、このリング状挟持体の下端に突出形成されたリング状補強リブと、前記側面部と前記リング状挟持体との間に形成された隙間部と、を有してなることを特徴とする熱物食品用容器。
【考案の詳細な説明】
【技術分野】
【０００１】
本考案は、デパート、スーパーマーケット、食料品店等の食品売場で試食品や試飲品を提供する場合等に使用される容器に関し、詳しくはカレー、シチュー、スープ、味噌汁等のような一般的に熱く熱して食べたり飲んだりする食品を提供する場合に使用される熱物食品用容器に関する。
【背景技術】
【０００２】
デパート、スーパーマーケット、食料品店等の食品売場においては来店した消費者に試食、試飲してもらって食品の宣伝、販売の促進を図る場合がある。
消費者に試食、試飲してもらう場合、試食品や試飲品を入れる容器として合成樹脂材で形成された小さいコップ状の試食試飲容器が従来から使用されている。
この試食試飲容器で試食、試飲する場合は試食試飲容器の側面部を指で挟持して試食品や試飲品を試食、試飲している。
このため、カレー、シチュー、スープ、味噌汁等のように一般的に熱く熱して食べたり飲んだりするのが美味しい食品（以下、便宜上「熱物食品」と称す）を試食、試飲する場合、試食試飲容器に入っている熱物食品の熱が試食試飲容器の側面部を通して試食試飲容器を挟持している指に伝わり指が熱くなってしまうという不具合がある。
この結果、消費者はじっくり味わいながら熱物食品を試食、試飲することが困難になってしまう。
また、このことは熱物食品提供者側からすると貴重な試食、試飲の機会を減らすことになり熱物食品の宣伝、販売の促進の面からデメリットとなる。
そこで、熱を通しにくい素材である発泡スチロール等で製造された試食試飲容器が提案されている。
しかし、発泡スチロール材等で試食試飲容器を製造すると試食試飲容器の肉厚が厚くなり試食試飲容器が嵩張ってしまう。
特に試食試飲コーナーは食品売場の一角に臨時に設けられる場合が多く、一般的に狭いスペースであるため試食試飲容器が嵩張ると多くの試食試飲容器を置き難くなると共に試食試飲容器の運搬や保管においても不便である。
また、使用された試食試飲容器はゴミ箱に廃棄されるため、試食試飲容器が嵩張ると廃棄された使用済み試食試飲容器の嵩が増えてしまうと共に短い時間でゴミ箱が使用済み試食試飲容器で一杯になってしまうという不具合がある。
【考案の概要】
【考案が解決しようとする課題】
【０００３】
本考案は、上記事実に鑑みなされたものであり、熱くして食べたり飲んだりする熱物食品を入れても容器を挟持する指に熱が伝わり難く、しかも嵩張り難い熱物食品用容器を提供するものである。
【課題を解決するための手段】
【０００４】
請求項１の考案は、有底筒状の容器本体と、この容器本体の側面部の上端に連続形成されると共に容器本体の下部方向に向かって折り返されたリング状挟持体と、を有してなることを特徴としている。
請求項２の考案は、有底筒状の容器本体と、この容器本体の側面部の上端に連続形成されると共に容器本体の下部方向に向かって折り返されたリング状挟持体と、前記側面部と前記リング状挟持体との間に形成された隙間部と、を有してなることを特徴としている。
請求項３の考案は、有底筒状の容器本体と、この容器本体の側面部の上端に連続形成されると共に容器本体の下部方向に向かって折り返されたリング状挟持体と、このリング状挟持体の下端に突出形成されたリング状補強リブと、前記側面部と前記リング状挟持体との間に形成された隙間部と、を有してなることを特徴としている。
【考案の効果】
【０００５】
本考案の熱物食品用容器は、カレー、シチュー、スープ、味噌汁等のような熱くして食べたり飲んだりする熱物食品を試食、試飲する場合等に熱物食品の熱が指等に伝わり難いので、ゆっくり味わいながら熱物食品の試食や試飲ができるという優れた効果を有する。
本考案の熱物食品用容器は、熱物食品の熱が指等に伝わり難いので、熱く熱した状態が美味しい熱物食品を熱い状態で消費者に提供することができるという優れた効果を有する。
本考案の熱物食品用容器は、熱物食品用容器の肉厚を厚くしないで済むので、熱物食品用容器が嵩張るのを抑えることができるという優れた効果を有する。
また、請求項３の熱物食品用容器は、上記優れた効果の他にリング状挟持体にリング状補強リブを形成したので、リング状挟持体の強度を強くすることができると共に熱物食品用容器を挟持した場合に熱物食品用容器が滑り難いという優れた効果を有する。
【図面の簡単な説明】
【０００６】
【図１】実施例の熱物食品用容器の全体斜視図である。
【図２】実施例の熱物食品用容器の正面図である。
【図３】実施例の熱物食品用容器の縦断面図である。
【図４】実施例の熱物食品用容器を指で挟持している正面図である。
【考案を実施するための形態】
【０００７】
考案を実施するために最良の形態の例として以下のような実施例を示す。
【実施例１】
【０００８】
図１〜図４には本考案に係る熱物食品用容器の一実施例が示されている。
図１〜図４には熱物食品用容器１０が示されている。実施例の熱物食品用容器１０は肉厚の薄いポリプロピレン（ＰＰ）で一体形成されている。
【０００９】
図１に示されるように、前記熱物食品用容器１０の容器本体１２は有底筒状のコップ状に形成されており、容器本体１２には底面部１４と側面部１６が形成されている。この側面部１６の上端には容器本体１２の下部方向に折り返されたリング状挟持体１８が連続形成されている。このリング状挟持体１８は容器本体１２の周方向に向かって平面視リング状に形成されている。
【００１０】
図３に示されるように、前記リング状挟持体１８の下端部にはリング状補強リブ２０が突出形成されている。このリング状補強リブ２０はリング状挟持体１８の周方向に向かって平面視リング状に形成されている。
【００１１】
また、前記リング状挟持体１８と前記側面部１６との間には隙間部２２が形成されている。これにより前記リング状挟持体１８は前記側面部１６と当接しないように形成されている。
【００１２】
図１及び図３に示されるように、前記容器本体１２の上面には開口部２４が形成されている。この開口部２４から前記容器本体１２内に図示しないカレー、シチュー、スープ、味噌汁等のような食品を入れることができるようになっている。
【００１３】
次に、実施例の熱物食品用容器１０の作用を食品売場の試食品コーナーで熱物食品としての熱いスープを消費者に提供する場合を例にして説明する。
熱物食品用容器１０に熱いスープを入れる場合は、開口部２４から容器本体１２の内部に入れる。
【００１４】
消費者が熱いスープを試飲する場合は、図４に示されるように消費者は親指と人差し指で前記リング状挟持体１８を挟むことにより、熱物食品用容器１０を挟持することができる。
【００１５】
熱いスープが入った熱物食品用容器１０の容器本体１２の底面部１４や側面部１６には熱いスープの熱が伝わるが、前記リング状挟持体１８と前記側面部１６との間には隙間部２２が形成されている。
従って、前記側面部１６に伝わった熱いスープの熱は前記リング状挟持体１８にはほとんど伝わらないので、リング状挟持体１８を挟持している親指と人差し指には熱は伝わり難い。
【００１６】
この結果、消費者はは熱いスープの味をじっくり味わうことができるので、スープの販売促進に多いに役立つことができる。
【００１７】
なお、実施例の熱物食品用容器１０はポリプロピレンで形成されているので熱に強く、熱いスープを入れても熱物食品用容器１０が変形するのを防止することができる。
なお、この実施例の熱物食品用容器１０は摂氏約１１０℃〜１２０℃の熱に耐えることができる。
【００１８】
また、前記リング状挟持体１８の下端部にはリング状補強リブ２０が突出形成されているので、リング状挟持体１８の強度を強くすることができ、これによりリング状挟持体１８をしっかり挟持できるようになっている。
【００１９】
しかも、リング状挟持体１８を挟んでいる親指と人差し指の腹部分がリング状補強リブ２０に当たり、親指と人差し指が滑り難く、滑って熱物食品用容器１０が不用意に落下するのを防止できる。
【００２０】
また、熱物食品用容器１０は肉厚を薄くできる素材のポリプロピレンで形成したので、熱物食品用容器１０は嵩張り難くい。
このため、狭い試食品コーナー等でも多数の熱物食品用容器１０を積み重ねて置くことができると共に熱物食品用容器１０を運搬する場合や保管する場合にも便利である。
【００２１】
また、使用された熱物食品用容器１０を廃棄する場合もゴミ箱に廃棄された使用済み熱物食品用容器１０の嵩を抑えることができる。
【００２２】
なお、実施例の熱物食品用容器１０においてはリング状挟持体１８の下端部にリング状補強リブ２０を突出形成したが、必ずしもリング状挟持体１８の下端部にリング状補強リブ２０を突出形成しなくてもよいことは勿論である。
【００２３】
なお、実施例では熱物食品用容器１０を試食品コーナーで試食したり試飲したりする熱物食品を提供する場合に使用する場合を示したが、これに限定されるものでなく熱物食品用容器１０のサイズを大きくして食品販売店で商品としてのスープやコーヒー等の熱物食品を消費者に提供する場合の容器として使用してもよいことは勿論である。
【００２４】
また、前記リング状挟持体１８の容器本体１２に対する大きさの割合（図３上下方向寸法割合）は実施例で図示した割合に限定されるものでなく、実施例で図示した割合よりも大きくても小さくてもよいことは勿論である。
【００２５】
なお、実施例では熱物食品用容器１０はポリプロピレンで形成したが、ポリプロピレン以外の材料で熱物食品用容器１０を形成してもよいことは勿論である。
また、実施例では熱物食品としてカレー、シチュー、スープ、味噌汁を示したが、熱物食品はこれらに限定されるものでないことは勿論である。
【産業上の利用可能性】
【００２６】
本考案の熱物食品用容器は、カレー、シチュー、スープ、味噌汁等をはじめとする熱物食品だけでなく、熱物食品以外の食品にも使用することができる。
【符号の説明】
【００２７】
１０    熱物食品用容器
１２    容器本体
１４    底面部
１６    側面部
１８    リング状挟持体
２０    リング状補強リブ
２２    隙間部
２４    開口部
【図１】
0003193825.tif 000003
【図２】
0003193825.tif 000004
【図３】
0003193825.tif 000005
【図４】
0003193825.tif 000006